(57)【特許請求の範囲】
【請求項１】
第１端部（１２）、およびこの第１端部（１２）とは反対側の第２端部（１３）を有し、前記掘削工具装置（６）の工具（７）を少なくとも部分的に包囲する受容空間（２０）を設けた掘削工具装置（６）のための吸引装置（１１）であって、
この吸引装置（１１）を前記掘削工具装置（６）に固定するよう、前記吸引装置（１１）の第１端部（１２）に設けた固定装置（１４）と、
吸引装置（１１）が基礎構造に接触するよう、前記吸引装置（１１）の第２端部（１３）に設けた接触領域（１５）と、
真空源に接続するための、接続装置（１８）と
を設けた該吸引装置において、 
前記吸引装置（１１）の第２端部（１３）の領域（１９）に、少なくとも１個の支持素子（２１；３１；４１；５１）を設け、この支持素子（２１；３１；４１；５１）には、工具（７）のための貫通案内開口（２２；３２；４２；５２）、および少なくとも１個の規定の吸引開口（２３；３３；４３；５３）を設け、
前記支持素子（３１）を平らな格子部片で構成し、この格子部片には前記工具（７）の貫通案内開口（３２）を設け、さらに前記格子部片の網目（３６）により規定の前記吸引開口（３３）を構成したことを特徴とする吸引装置。
【発明の詳細な説明】
【技術分野】
【０００１】
本発明は、請求項１の前半に記載する掘削工具装置用吸引装置に関するものである。
【０００２】
コンクリート壁やコンクリート天井などの岩状物の基礎構造を、たとえば、ドリルハンマー、組み合わせハンマー、チゼルハンマーのような掘削工具装置の工具を用いて加工する際、粉塵など、掘削屑が発生する。特に粉塵の発生は、建物の部屋など、周囲環境の汚染につながり、使用者の仕事の妨げとなる。
【背景技術】
【０００３】
このような理由から、特許文献１に記載の手持ちドリル装置の吸引装置は、第１端部およびこの第１端部とは反対側の第２端部を有し、掘削工具装置の工具を少なくとも部分的に包囲する受容空間を設ける。吸引装置の第１端部には、吸引装置を掘削工具装置に固定するための固定装置を設ける。吸引装置の第２端部には、吸引装置が基礎構造に接触する接触領域を設ける。さらにこの吸引装置には、工具７の長手方向に平行にその長手方向が伸縮可能である弾性部分を設ける。さらに、真空源に接続するための 接続装置を設ける。
【特許文献１】独国実用新案登録第８１１９６１２号明細書
【０００４】
基礎構造に作業を加える際、吸引装置の接触領域は、基礎構造と接触し、ドリル作業において発生する、材料の粉塵や破片を、例えば産業用粉塵吸引機の形式とした真空源により吸い込む。弾性部分を設けることで、掘削作業が進み、工具が基礎構造に入りこんでも吸引装置が基礎構造に接触可能となる。
【０００５】
この既知の吸引装置の欠点は、真空源より発生する吸引気流の関係で、掘削された材料の大きい破片も吸い込まれ、これら大きい破片が、接続装置より生じる吸引チャネル、および真空源にいたる吸引導管をつまらせる恐れがある。特に、工具として、たとえば尖頭チゼルを設けた、組み合わせハンマーおよびチゼルハンマーにおいては、吸引すべき粉塵のほかにも、掘削した材料からは、多量の種々の大きさの破片が発生する。
【発明の概要】
【発明が解決しようとする課題】
【０００６】
このため、本発明の課題は、基礎構造に作業をするときに、周囲の環境に対する粉塵負荷を格段に減らし、吸引導管が詰まらない吸引装置を得るにある。
【課題を解決するための手段】
【０００７】
この課題は、独立請求項に記載する特徴により解決される。
【０００８】
本発明によれば、吸引装置の第２端部の領域に、少なくとも１個の支持素子を設け、この支持素子には、工具の貫通案内開口、および少なくとも１個の規定の吸引開口を設ける。
【発明の効果】
【０００９】
工具の貫通案内開口は、吸引装置の案内を構成し、吸引装置の弾性部分にもかかわらず、吸引装置が折れ曲がることを回避する。規定の吸引開口の形態および数に応じて、吸い込む際、および吸引装置の吸引空間での気流の案内は影響を受け、そのため掘削装置の作業箇所ごとに、とくに発生する粉塵の、より好適な吸引を制御することが可能となる。少なくとも１個の規定の吸引開口の形態により、吸い込まれる、掘削された材料から出る破片の最大の大きさは限定されるため、吸引チャネルが詰まるのを防ぐことができる。支持素子は、掘削した材料から出る大きい破片を吸引装置内に吸い込むのを防ぐための絞りとなる。好適には、支持素子は、耐久性のある弾性材料で構成する。
【図面の簡単な説明】
【００１０】
【図１】本発明吸引装置を設けた掘削工具の側面図である。
【図２】本発明吸引装置の第１実施例における、図１のII‐II線上の横断面図である。
【図３】図２のIII‐III線上の縦断面図である。
【図４】本発明吸引装置の第２実施例における、図１のII‐II線上の横断面図である。
【図５】本発明吸引装置の第３実施例および第４実施例における、図１のII‐II線上の横断面図である。
【図６】本発明吸引装置の第５実施例における、図１のII‐II線上の横断面図である。
【図７】図６におけるVII‐VII線上の縦断面図である。
【発明を実施するための形態】
【００１１】
吸引装置には弾性部分を設け、好適には支持素子を、この弾性部分に取り付け、また好適には、吸引装置の弾性部分に類似の、もしくは同一の弾性材料で構成する。
【００１２】
好適には、固定装置は、吸引装置を掘削工具装置に着脱可能に固定するよう構成し、さらに、たとえばクランプ素子を設け、このクランプ素子により、吸引装置をハウジング部分、掘削工具装置の工具ホルダに固定可能とする。
【００１３】
好適には、支持素子に、複数個のセグメントを設け、これらセグメントは吸引装置の外周から、掘削工具の貫通案内開口まで延在させる。セグメントは、少なくとも１個の規定の吸引開口を生ずるよう、互いに離間させて配列する。この吸引装置の用途に応じて、セグメントの材料厚さ、およびセグメント相互間の距離のものを選択する。このような支持素子は、とくにその頑丈な形態とした場合において際立つ。セグメントはたとえば、貫通案内開口に向かう遊端を設け、必要に応じて、内側に転向し、再び自動的にその初期位置に復帰できるようにする。
【００１４】
好適には、セグメントは、吸引装置の第２端部が存在する平面に対して角度をなすよう指向させ、吸引装置の第２端部から吸引装置の第１端部に向かって延在させる。このため、基礎構造と接触する吸引装置の第２端部は、凹状の空間を構成し、この空間の中に、少なくとも１個の吸引開口を通るには大きすぎる、掘削された材料から発生する破片を捕捉できる。
【００１５】
好適には、セグメントは、貫通案内開口に向かって細くなる台形形状とする。この構成により、好適な空気流の案内が得られる。
【００１６】
支持素子を壁部片で構成し、この壁部片には、工具の貫通案内開口 、および少なくとも１個の規定の吸引開口を設け、少なくとも１個の吸引開口を広範囲にわたり互いに密接するよう分布させる。壁部片により、吸引装置を第２端部領域を閉じ、対応する貫通案内開口の形態により、吸引装置の案内を工具により行い、また少なくとも１個の規定の吸引開口により、掘削した材料から発生する粉塵および破片の十分な吸引が達成される。
【００１７】
好適には、少なくとも１個の吸引開口の横断面を、丸みを帯びた横断面とする。この構成により、吸引装置に吸い込まれる破片の大きさを好適に制御できる。
【００１８】
好適には、支持素子を格子部片で構成し、この格子部片には工具の貫通案内開口を設け、さらに格子部片の網目で規定の吸引開口を構成する。格子部片で第２端部領域を覆うことで、対応する貫通案内開口の形状により、吸引装置の案内を工具で行い、また少なくとも１個の規定の吸引開口により、掘削された素材から出る粉塵および破片の十分な吸引が達成される。
【００１９】
好適には、支持素子に、複数個のリブを互いに離間して配置し、これらリブは、吸引装置の外周から、工具の貫通案内開口まで延在させ、これらリブには、それぞれ接触端面を設け、これら接触端面を、吸引装置が基礎構造に接触する平面上に配置する。好適には、リブ相互間に、壁部片を設け、この壁部片は接触端面が存在する平面に対し、一定の角度をなす凹状空間を構成する。リブは、工具軸線方向に、高い剛性を有する構成とし、この構成により、基礎構造で壁部片が吸い込まれるのを防ぎ、吸引空気流が作業中分断されない。
【００２０】
好適には、少なくとも１個の吸引開口は、２ｍｍ以上の最小断面寸法を有する構成とする。この構成により、好適な空気流案内を、真空源である産業粉塵吸引機により行う。
【００２１】
好適には、少なくとも１個の吸引開口は、３０ｍｍ以下の最大断面寸法を有する構成とする。この構成により、掘削した材料から発生する大きい破片が吸い込まれるのを回避でき、そのため、対応する吸引導管の横断面の形状において、吸引導管が詰まるのも回避できる。吸引導管の横断面を大きいものとし、充分な吸引力を有する真空源と接続することにより、少なくとも１個の規定の吸引開口の横断面をより大きく構成することができる。
以下図面につき、本発明の好適な実施例を詳述する。
【実施例】
【００２２】
図１〜３に示す吸引装置１１を、掘削工具装置６としての組み合わせハンマーに取り付ける。吸引装置１１の第１端部１２に、クランプ止め輪としての固定装置１４を設け、吸引装置１１を掘削工具装置６に着脱可能に固定する。吸引装置１１の第２端部１３に接触領域１５を設け、この接触領域１５により吸引装置１１が基礎構造に接触する。吸引装置１１は、第１端部１２から第２端部１３の方向に延在する剛性のある剛固部分１６と、この剛固部分１６から吸引装置１１の第２端部１３まで延在する弾性のある弾性部分１７とを有し、この弾性部分１７は、その長手方向部分を、工具７の長手方向に平行に伸縮可能とする。剛固部分１６および弾性部分１７は、受容空間２０を有し、この受容空間２０は、掘削工具装置６に取り付けた工具７を部分的に包囲する。吸引装置１１の剛固部分１６に、図示しない真空源に接続する接続装置１８である接続部を設ける。吸引装置１１の第２端部１３の領域１９に、絞りとして支持素子２１を設け、この支持素子２１には、工具７の貫通案内開口２２、および複数個の規定した吸引開口２３を設ける。
【００２３】
支持素子２１には複数個のセグメント２６を設け、これらセグメント２６は吸引装置１１の外周から、工具７の貫通案内開口２２まで延在させる。これらセグメント２６は、規定の吸引開口２３を構成するよう互いに離間させて配列する。さらに、セグメント２６の輪郭を、貫通案内開口２２にむかって細くなる台形形状にする。セグメント２６は、吸引装置１１の第２端部１３が存在する平面Eに対して角度Ａをなして、吸引装置１１の第２端部１３から吸引装置１１の第１端部１２に向かって延在させる。
【００２４】
図４に示す支持素子３１は、格子部片により構成し、この格子部片には工具の貫通案内開口３２を設け、多数の網目３６が規定の吸引開口３３を構成する。
【００２５】
図５には、この一つの図面内に、支持素子に関する２つの実施例である、支持素子４１および５１を示す。
【００２６】
一点鎖線より左側に示す支持素子４１は、壁部片により構成し、工具の貫通案内開口４２および複数個の規定の吸引開口４３を設け、これら吸引開口は種々の異なる直径の円とする。これら吸引開口４３は、広範囲にわたり互いに密接するよう分布させる。
【００２７】
一点鎖線より右側に示した支持素子５１は、壁部片により構成し、工具の貫通案内開口５２および複数個の吸引開口５３を設け、これら吸引開口は、非円形の種々の断面形状であり、異なる形状とし、それぞれ広範囲にわたり互いに密接するよう分布させる。
【００２８】
代案として、壁部片で構成する支持素子には、断面が円形の吸引開口４３、および断面が非円形の吸引開口５３を、交互に、もしくはそれぞれグループにまとめて設けてもよい。
【００２９】
図６および図７に示す支持素子６１には、複数個のリブ６６を互いに離間して配置し、これらリブ６６は、吸引装置１１の外周から、工具７の貫通案内開口６２まで延在させる。リブ６６には、それぞれ吸引装置１１が基礎構造に接する平面Ｆに実際に触れる部分である接触端面６７を設ける。リブ６６の間には、壁部片６８を設け、吸引装置１１の外周から、工具７の貫通案内開口６２の方向に延在させる。これら壁部片６８の遊端は、吸引開口６３を生ずるため、貫通案内開口６２から離間させて設ける。さらに、壁部片６８は、接触端面６７に対して角度Ｂをなす平面Ｆ上に配置する。
【００３０】
すべての吸引開口２３，３３，４３，５３，６３の断面形状は、２ｍｍ以上の最小寸法、および３０ｍｍ以下の最大寸法を有するものとする。
【符号の説明】
【００３１】
６ 掘削工具装置
７ 工具
１１ 吸引装置
１２ 第１端部
１３ 第２端部
１４ 固定装置
１５ 接触領域
１６ 剛固部分
１７ 弾性部分
１８ 接続装置
１９ 領域
２０ 受容空間
２１ 支持素子
２２ 貫通案内開口
２３ 吸引開口
２６ セグメント
３１ 支持素子
３２ 貫通案内開口
３３ 吸引開口
３６ 網目
４１ 支持素子
４２ 貫通案内開口
４３ 吸引開口
５１ 支持素子
５２ 貫通案内開口
５３ 吸引開口
６１ 支持素子
６２ 貫通案内開口
６３ 吸引開口
６６ リブ
６７ 接触端面
６８ 壁部片
A 角度
B 角度
E 平面
F 平面
【図１】
0005433065.tif 000002
【図２】
0005433065.tif 000003
【図３】
0005433065.tif 000004
【図４】
0005433065.tif 000005
【図５】
0005433065.tif 000006
【図６】
0005433065.tif 000007
【図７】
0005433065.tif 000008